(57)【特許請求の範囲】
【請求項１】
後軸外周面の窓部から出没操作のための押子を突出させるとともに、該押子にクリップを支持するようにした出没式筆記具であって、前記押子に対する軸筒径方向の対向位置に他の押子及び窓部を有さない出没式筆記具において、
前記後軸内における前記対向位置に前記押子を前方から挿入可能なガイド凹部を設け、前記押子の組付けの際に、前記押子が前記後軸の前端開口部から内部へ挿入され前記ガイド凹部によって後方へ導かれて前記窓部に挿通されるようにしたことを特徴とする出没式筆記具。
【請求項２】
前記ガイド凹部が、前記窓部よりも前方側の位置から後方へわたるように連続的に設けられていることを特徴とする請求項１記載の出没式筆記具。
【請求項３】
前記ガイド凹部を第１のガイド凹部とし、
前記後軸内における前記窓部よりも前方側の位置であって、前記第１のガイド凹部に対する軸筒径方向の対向位置に、前記押子を前方から挿入可能な第２のガイド凹部を設け、前記押子が前記第１及び第２のガイド凹部によって後方へ導かれるようにしたことを特徴とする請求項２記載の出没式筆記具。
【請求項４】
前記第１及び第２のガイド凹部よりも前方側に、前記第１のガイド凹部と前記第２のガイド凹部とのうちの何れか一方に連通するとともにこの一方のガイド凹部よりも幅が広い補助ガイド凹部を設け、前記押子が前記補助ガイド凹部内に挿入された後に、前記一方のガイド凹部に嵌まり合うようにしたことを特徴とする請求項３記載の出没式筆記具。
【請求項５】
前記後軸内における前記窓部の前端よりも後側に当接部を設け、前記組付けの際、後方へ導かれた前記押子が前記当接部に当接することで前記窓部に挿入可能な位置になるようにしたことを特徴とする請求項１乃至４何れか１項記載の出没式筆記具。
【請求項６】
クリップを支持する前記押子以外に、クリップを支持しない他の押子を備え、前記他の押子を前進させて後軸内に沈み込ませて係止するようにした出没式筆記具であって、前記他の押子を突出する窓部の縁に、前記後軸の外周面を段状に凹ませてなる段部を設けたことを特徴とする請求項１乃至５何れか１項記載の出没式筆記具。
【発明の詳細な説明】
【技術分野】
【０００１】
本発明は、軸筒外周面から露出する押子に対する進退操作により、軸筒の前端から筆記部を出没させる出没式筆記具に関するものである。
【背景技術】
【０００２】
従来、この種の出没式筆記具には、特許文献１に記載されたもののように、軸筒を構成する後軸の周壁に、周方向に間隔を置いて複数の窓部を設け、これら窓部のそれぞれから押子を突出させるとともに、これら押子のうちの一つにクリップを支持するようにしたものがある。
このような出没式筆記具を組立てる際には、リフィールの後端部に接続された押子を、後軸の前端開口部に挿入し、該押子を後軸の内部から前記窓部に挿通させて後軸の周壁に係合させるようにしている。
【０００３】
ところで、このような出没式筆記具によれば、クリップ支持用の押子が、そのクリップ支持構造等のために他の押子よりも大きい。このため、このクリップ支持用の押子を、後軸内に挿入して後方へ移動し、後軸内から窓部に挿通して係合させる作業が困難になる場合があった。
この作業は、クリップ支持用の押子と１８０度反対となる位置に、他の押子を挿入するための窓部がある場合には、この窓部を逃げ空間として利用できるため、多少改善されるが、クリップ支持用の押子を含む３つの押子を周方向に均等に配設した場合のように、クリップ支持用の押子と１８０度反対となる位置に他の押子を挿入するための窓部がない場合には、前記逃げ空間を確保できないので、特に困難であった。
【先行技術文献】
【特許文献】
【０００４】
【特許文献１】特開２００５−１１１８７６号公報
【発明の概要】
【発明が解決しようとする課題】
【０００５】
本発明は上記従来事情に鑑みてなされたものであり、その課題とする処は、クリップ支持用の押子の組付け作業性を向上することができる出没式筆記具を提供することにある。
【課題を解決するための手段】
【０００６】
上記課題を解決するための技術的手段は、後軸外周面の窓部から出没操作のための押子を突出させるとともに、該押子にクリップを支持するようにした出没式筆記具であって、前記押子に対する軸筒径方向の対向位置に他の押子及び窓部を有さない出没式筆記具において、前記後軸内における前記対向位置に前記押子を前方から挿入可能なガイド凹部を設け、前記押子の組付けの際に、前記押子が前記後軸の前端開口部から内部へ挿入され前記ガイド凹部によって後方へ導かれて前記窓部に挿通されるようにしたことを特徴とする。
【発明の効果】
【０００７】
本発明は、以上説明したように構成されているので、以下に記載されるような作用効果を奏する。
後軸に対しクリップ支持用の押子を組付ける際、後軸の前端開口部から内部へ挿入された前記押子が、ガイド凹部によって後方へ導かれて窓部に挿通されるため、その組付け作業をスムーズに行うことができる。
【図面の簡単な説明】
【０００８】
【図１】本発明に係る出没式筆記具の一例を示す背面図である。
【図２】図１における（2）-（2）線断面図である。
【図３】押子の一例を示す側面図である。
【図４】（ａ）は同押子の正面図、（ｂ）は同押子の背面図である。
【図５】図３の（5）-（5）線断面図である。
【図６】後軸に押子を組付ける手順を示す断面図であり、（ａ）は後軸に押子を挿入する前の状態、（ｂ）は後軸の範囲Ａに押子を有する状態、（ｃ）は後軸の範囲Ｂに押子を有する状態を、それぞれ示す。
【図７】後軸に押子を組付ける手順を示す断面図であり、（ｄ）は後軸の範囲Ｃに押子を有する状態、（ｅ）は後軸の範囲Ｄに押子を有するとともに露出させた状態、（ｆ）は露出させた押子を最後端部まで移動させた状態を、それぞれ示す。
【図８】（I）は図６の（I）-（I）断面、（II）は図６の（II）-（II）断面、（III）は図７の（III）-（III）断面、（IV）は図７の（IV）-（IV）断面、（V）は図７の（V）-（V）断面、図７の（VI）-（VI）断面を、それぞれ示す。
【図９】係止段部の一例を示す拡大断面図である。
【発明を実施するための形態】
【０００９】
本発明を実施するための好ましい形態では、後軸外周面の窓部から出没操作のための押子を突出させるとともに、該押子にクリップを支持するようにした出没式筆記具であって、前記押子に対する軸筒径方向の対向位置に他の押子及び窓部を有さない出没式筆記具において、前記後軸内における前記対向位置に前記押子を前方から挿入可能なガイド凹部を設け、前記押子の組付けの際に、前記押子が前記後軸の前端開口部から内部へ挿入され前記ガイド凹部によって後方へ導かれて前記窓部に挿通されるようにした。
この構成によれば、後軸内に挿入された押子を、ガイド凹部に嵌め合わせて後方へ移動し窓部へ挿入することができ、その作業をスムーズに行うことができる。
【００１０】
更に好ましい形態では、前記ガイド凹部が、前記窓部よりも前方側の位置から後方へわたるように連続的に設けられている。
この構成によれば、押子をガイド凹部に挿入して後方へ移動する作業をよりスムーズに行うことができる。
【００１１】
更に好ましい形態では、前記ガイド凹部を第１のガイド凹部とし、前記後軸内における前記窓部よりも前方側の位置であって、前記第１のガイド凹部に対する軸筒径方向の対向位置に、前記押子を前方から挿入可能な第２のガイド凹部を設け、前記押子が前記第１及び第２のガイド凹部によって後方へ導かれるようにした。
この構成によれば、後軸内で押子を後方へ移動する際のがたつきを、二種類のガイド凹部によって効果的に抑制することができ、押子の組付け作業をよりスムーズに行うことができる。
【００１２】
更に好ましい形態では、前記第１及び第２のガイド凹部よりも前方側に、前記第１のガイド凹部と前記第２のガイド凹部とのうちの何れか一方に連通するとともにこの一方のガイド凹部よりも幅が広い補助ガイド凹部を設け、前記押子が前記補助ガイド凹部内に挿入された後に、前記一方のガイド凹部に嵌まり合うようにした。
この構成によれば、後軸内で押子を後方へ移動する際のがたつきを、幅広な補助ガイド凹部と、該凹部に連通する第１又は第２のガイド凹部とによって段階的に抑制することができ、ひいては、押子の組付け作業をよりスムーズに行うことができる。
【００１３】
更に好ましい形態では、前記後軸内における前記窓部の前端よりも後側に当接部を設け、前記組付けの際、後方へ導かれた前記押子が前記当接部に当接することで前記窓部に挿入可能な位置になるようにした。
この構成によれば、後軸内で後方へ移動した押子を、当接部との当接により位置合わせした後に、窓部へ挿入することができ、ひいては、押子を窓部に挿入し組付ける作業をよりスムーズに行うことができる。
【００１４】
更に好ましい形態では、クリップを支持する前記押子以外に、クリップを支持しない他の押子を備え、前記他の押子を前進させて後軸内に沈み込ませて係止するようにした出没式筆記具であって、前記他の押子を突出する窓部の縁に、前記後軸の外周面を段状に凹ませてなる段部を設けた。
この構成によれば、押子を前方へ押動操作する指が、後軸内へ沈み込む押子から滑って、押子が係止されるまで前進しないようなことを防ぐことができ、押子の操作性を向上することができる。
【００１５】
以下、本発明の実施の形態を図面に基づいて詳細に説明する。
なお、本明細書中、「前」とは、出没式筆記具１が筆記部２１を突出させる方向をいい、「後」とは、同出没式筆記具１が筆記部２１を没入させる方向をいう。
【００１６】
この出没式筆記具１は、図１及び図２に示すように、前軸１１と後軸１２とからなる軸筒１０と、該軸筒１０内に収納された複数種類（図示例によれば３種類）のリフィール２０と、これらリフィール２０の後端側に接続された複数の押子３０（又は４０）とを備え、選択された一つの押子３０（又は４０）の前進により、軸筒１０の前端から筆記部２１を突出し、この突出状態を他の押子４０（又は３０）の前進によって解除する。
なお、図示例によれば、押子３０は、クリップ５０を一体に支持する押子であり、一つだけ設けられる。また、押子４０は、それ自体が直接押動操作される押子であり、二つ設けられる。これら押子３０，４０は、図１に示すように、軸筒１０の周方向に均等に間隔を置いて（すなわち、角度１２０度置きに）配設される。
【００１７】
軸筒１０は、長尺筒状の前軸１１と、該前軸１１の後端に螺合接続される後軸１２とからなる。
【００１８】
前軸１１は、前端側が先細状に形成され、その最前端部に、リフィール２０前端の筆記部２１を出没させるための開口部１１ａを有する。また、前軸１１における把持部位の外周には、エラストマー樹脂等からなる筒状のグリップ１１ｂが一体的に設けられる。
【００１９】
後軸１２は、後端部を閉鎖した有底筒状に形成される。該後軸１２の後端側の外周面には、押子３０を挿通し係合するための一つの窓部１２ａと、二つの押子４０をそれぞれ挿通し係合するための２つの窓部１２ｂ，１２ｂが設けられる。これら窓部１２ａ，１２ｂ，１２ｂは、軸筒周方向に均等に間隔を置いて設けられる。
【００２０】
一方の窓部１２ａは、後軸１２の周壁を軸筒径方向に貫通するとともに軸筒軸方向に長い孔である。この窓部１２ａにおける前側部分（図６（ａ）の範囲Ｃ）は、後述する押子３０の突出部３１を軸筒径方向へ出没可能な貫通孔となっている。また、窓部１２ａにおける前記前側部分よりも後側の部分（図６（ａ）の範囲Ｄ）には、押子３０を軸筒軸方向へ案内するガイド部１２ａ１が設けられる。
更に、窓部１２ａ内における最後端部には、解除操作により後退した際の押子３０に対し凹凸状に嵌り合う凸部１２ｈが設けられる。
【００２１】
ガイド部１２ａ１は、図８（Ｖ）に示すように窓部１２ａの幅を軸筒内側で狭めるように、その幅方向の両側から突出し、図６に示すように軸筒軸方向へわたって連続して設けられる。このガイド部１２ａ１の前端側には、前方へスライドした際の押子３０の後端部を軸筒中心側へ沈み込ませて係止する係止段部１２ａ２が設けられる。
【００２２】
また、このガイド部１２ａ１の最前端面は、窓部１２ａの前端よりも後側に位置し、後軸１２内で後方へ導かれた押子３０の後端部に当接する当接部１２ａ３として作用する。この当接部１２ａ３は、後軸１２内における押子３０の後方への移動を停止して、押子３０を窓部１２ａへ挿入可能な位置に位置合わせする（図７（ｄ）参照）。
【００２３】
また、他方の窓部１２ｂ（図８及び図９参照）は、前記窓部１２ａよりも幅狭に形成された軸筒軸方向の長孔であり、その後側部分には、押子４０を軸筒軸方向へ案内するガイド部１２ｂ１が設けられる。ガイド部１２ｂ１は、前記ガイド部１２ａ１と略同様に、窓部１２ｂの幅を軸筒内側で狭めるように、その幅方向の両側から突出し（図８（Ｖ）参照）、軸筒軸方向へわたって連続して設けられる。
各ガイド部１２ｂ１の前端側には、前方へスライドした際の押子３０の後端部を軸筒中心側へ沈み込ませて係止する係止段部１２ｂ１１（図９参照）が設けられる。
【００２４】
また、この窓部１２ｂの縁には、図９に示すように、後軸１２の外周面を段状に凹ませてなる段部１２ｂ２が設けられる。より詳細に説明すれば、この段部１２ｂ２は、窓部１２ｂの前端縁を後軸１２外周面よりも凹ませるとともに（図９参照）、窓部１２ｂの幅方向の両側の縁を軸筒軸方向にわたって後軸１２外周面よりも凹ませている（図８（III）〜（VI）参照）。そして、その凹み部分の端部には、傾斜面１２ｂ３（図９及び図８参照）が形成される。
【００２５】
そして、後軸１２の内周面において、前記一方の押子３０に対する軸筒径方向の対向位置（図８によれば真下側）には、押子３０を前方から挿入して後方へ導く凹溝状の第１のガイド凹部１２ｃが設けられる。
この第１のガイド凹部１２ｃの断面形状は、図８（II）（III）に示すように、押子３０の軸筒中心側の係脱片部３２に嵌り合う形状とされる。
そして、この第１のガイド凹部１２ｃは、後軸１２内における窓部１２ａよりも前方側の位置から後方へわたるように連続的に設けられる。
より詳細に説明すれば、第１のガイド凹部１２ｃは、後軸１２の長さの半分よりも若干前側の位置から、ガイド部１２ａ１前端の当接部１２ａ３にわたる範囲（図６（ａ）の範囲Ｂ及びＣ）に連続的に設けられる。
【００２６】
この第１のガイド凹部１２ｃの幅Ｗ２（図８（II））は、後軸１２におけるガイド部１２ａ１，１２ａ１間の幅Ｗ３（図８（Ｖ）参照）よりも大きく、且つ、押子３０の係脱片部３２，３２が該第１のガイド凹部１２ｃに対し遊び（隙間）を有する状態で嵌り合う程度に、係脱片部３２，３２の幅Ｗ１よりも大きく設定される。
【００２７】
また、後軸１２内における窓部１２ａよりも前方側の位置であって、第１のガイド凹部１２ｃに対する軸筒径方向の対向位置には、押子３０を前方から挿入可能な第２のガイド凹部１２ｄが設けられる（図６及び図７参照）。
この第２のガイド凹部１２ｄの断面形状は、押子３０における突出部３１に嵌り合う形状とされる（図８（II）（III）参照）。
そして、この第２のガイド凹部１２ｄは、第１のガイド凹部１２ｃに対し軸筒軸方向の長さ及び位置が略同一となるように設けられる。
【００２８】
また、後軸１２内において、第１及び第２のガイド凹部１２ｃ，１２ｄよりも前方側には、第２のガイド凹部１２ｄよりも幅が広く且つ第２のガイド凹部１２ｄに連通する補助ガイド凹部１２ｅが設けられる。
この補助ガイド凹部１２ｅの断面形状は、図８（Ｉ）に示すように、押子３０の突出部３１に対し、第２のガイド凹部１２ｄよりも幅方向の遊びが大きい状態で嵌り合う形状とされる。すなわち、この補助ガイド凹部１２ｅの幅寸法Ｗ５（図８（Ｉ）参照）は、押子３０の突出部３１の幅Ｗ６よりも大きく、且つ、第２のガイド凹部１２ｄの幅Ｗ７（図８（II）参照）よりも大きく設定される。
【００２９】
また、リフィール２０は、図示例によれば、ボールペン用リフィールであり、その前端部にボールの転動によりインクを吐出させる筆記部２１（ボールペンチップ）を備えている。このリフィール２０は、ノック操作により鉛芯を繰り出すシャープペンシル用リフィールに置換することも可能である。
【００３０】
また、クリップ支持用の押子３０は、図３に示すように、軸筒遠心方向側（図３によれば上側）に位置する突出部３１、軸筒求心方向側（図３によれば下側）に位置する係脱片部３２，３２、前端側に位置するリフィール嵌合部３３、後端側に位置する被係止部３４及び係合凹部３５等を有する。
【００３１】
突出部３１は、押子３０が窓部１２ａに係合された際に、後軸１２の外周面よりも外側へ突出する部分であり、その幅方向の両側にクリップ５０を揺動自在に支持する支持凹部３１ａ，３１ａを有するとともに、これら支持凹部３１ａ，３１ａよりも後側に、付勢部材５１（図示例によれば圧縮スプリング）を挿入するための係合穴３１ｂを有する。
この突出部３１の軸筒軸方向の寸法Ｘは、後軸１２におけるガイド部１２ａ１前端の当接部１２ａ３と、窓部１２ａの前端部との幅（図６における範囲Ｃ）よりも小さく設定されている。
この突出部３１における軸筒求心方向側の端面であって、係脱片部３２，３２を間に挟んで両側となる部分（図４参照）は、ガイド部１２ａ１の軸筒遠心方向側の面に摺接しガイドされる被ガイド面３１ｃ，３１ｃとして作用する。
【００３２】
また、係脱片部３２，３２は、突出部３１よりも幅の狭い突片状に形成されている。この係脱片部３２，３２は、当該押子３０がスライド操作により前進した際に、先に係止されている他の押子４０に干渉して、該他の押子４０の係止状態を解除するものである。
この係脱片部３２，３２の幅Ｗ１（図４（ｂ）参照）は、該係脱片部３２が後軸１２におけるガイド部１２ａ１，１２ａ１間（図８（Ｖ）参照）に摺接するように、ガイド部１２ａ１，１２ａ１間の幅Ｗ３よりも若干小さい寸法に設定されている。
【００３３】
リフィール嵌合部３３は、リフィール２０の後端部に挿入され嵌合接続される部分である。
また、被係止部３４は、押動操作により前進した際の当該押子３０を係止段部１２ａ２に係止させるための突起である。
また、係合凹部３５は、最後退位置にある押子３０に嵌り合って、該押子３０の軸径方向のがたつきを阻むように形成される。
【００３４】
また、クリップ５０は、押子３０の支持凹部３１ａ，３１ａの前後へわたるように設けられ、支持凹部３１ａ，３１ａに対し、その前方側から乗り越え嵌合される。このクリップ５０の後端側は、押子３０の係合穴３１ｂに挿入された付勢部材５１に押圧されることで、後軸１２から離れる方向へ付勢される。
したがって、クリップ５０の後端部を後軸１２側へ押圧すれば、クリップ５０前端部と後軸１２との間を開放することができ、その押圧力を解除すれば、付勢部材５１の付勢力によってクリップ５０前端部と後軸１２との間を閉鎖することができる。
【００３５】
また、クリップ５０を支持しない他の押子４０は、おおまかには前記押子３０の突出部３１を略円弧状の操作突部４１に置換した構成とされ、詳細には、前記押子３０よりも、軸筒径方向の寸法及び軸筒周方向の幅寸法が小さく形成されている。
【００３６】
また、図中、符号５２は、押子３０（又は４０）を軸筒１０に対し後方へ付勢する付勢部材（図示例によれば圧縮スプリング）、符号５３は、前記付勢部材５２の前端を受けるとともに各リフィール２０を挿通してガイドするリフィールガイドである。
【００３７】
次に上記構成の出没式筆記具１を製造する際の特徴について詳細に説明する。
先ず、各押子３０（又は４０）の前端にリフィール２０が接続され、該リフィール２０に環状に付勢部材５２が装着される。
そして、リフィール２０及び付勢部材５２と一体の押子３０が、図６に示すように、後軸１２の前端開口部１２ｇから後軸１２内へ挿入される。
【００３８】
次に、後軸１２内へ挿入した押子３０の突出部３１を、補助ガイド凹部１２ｅに嵌め合わせる（図６（ｂ）の範囲Ａ及び図８（Ｉ）参照）。この際、補助ガイド凹部１２ｅの幅が突出部３１に対し十分な遊びを有するように設定されているため、その嵌め合わせの作業をスムーズ且つ容易に行うことができる。
【００３９】
そして、更に押子３０を後方へ移動すると、該押子３０の突出部３１が、補助ガイド凹部１２ｅよりも幅の狭い第２のガイド凹部１２ｄに挿入され、同押子３０の係脱片部３２，３２が、第１のガイド凹部１２ｃに挿入される（図６（ｃ）の範囲Ｂ及び図８（II）参照）。したがって、図示の範囲Ｂにおいて、押子３０は、第１のガイド凹部１２ｃと第２のガイド凹部１２ｄの二つの凹部によってガタつきが抑制されながら後方へ移動する。
【００４０】
更に押子３０を後方へ移動すると、該押子３０は、図７（ｄ）に示すように、ガイド部１２ａ１前端の当接部１２ａ３に当接して、その後方への移動を停止する（図７（ｄ）の範囲Ｃ及び図８（III）参照）。この状態で、押子３０を窓部１２ａ側へ移動すれば、押子３０の突出部３１がスムーズに窓部１２ａを通過し、該窓部１２ａの外部へ突出した状態となる。
【００４１】
次に、再度、押子３０を後方へ移動すると（図７（ｅ）及び図８（IV）参照）、図示の範囲Ｄにおいて、押子３０の突出部３１が軸筒周方向における左右のガイド部１２ａ１，１２ａ１に乗り上げるとともに、同押子３０の係脱片部３２，３２が、前記左右のガイド部１２ａ１，１２ａ１の間に嵌る。
【００４２】
更に後方へ移動した押子３０は、後端の係合凹部３５を、後軸１２後端の凸部１２ｈに嵌め合わせることで、軸筒径方向へのがたつきが抑制された状態で静止する（図７（ｆ）及び図８（V）（VI）参照）。
【００４３】
そして、前記のようにして押子３０が組付けられた後、他の押子４０が後軸１２の前端開口部１２ｇから内部に挿入され、窓部１２ｂに組付けられる。
【００４４】
よって、上記実施の形態の出没式筆記具１によれば、押子３０を後軸１２内に挿入して該後軸１２の窓部１２ａに組付ける際、後方への移動に伴う押子３０のがたつきが、第１及び第２のガイド凹部１２ｃ，１２ｄ及び補助ガイド凹部１２ｅ等によって段階的に抑制され、しかも、該押子３０が当接部１２ａ３による位置合わせ後に窓部１２ａに挿通されるため、その組付け作業をスムーズに行うことができる。
【００４５】
また、図９に示すように、クリップ５０を有さない他の押子４０を前方へスライド操作する際には、押子４０が前方へスライドして軸筒求心方向へ沈み込むのに伴って、その押子４０を押動操作する指ｐも、段部１２ｂ２によって軸筒求心方向へ沈み込む。したがって、押動操作する指ｐが、軸筒求心方向へ沈み込む押子４０から滑って、該押子４０が係止位置まで前進しないようなことを防ぐことができ、押子４０の操作性を向上することができる。
更に、押子４０を押動操作した指ｐが段部１２ｂ２前端の傾斜面１２ｂ３に当接するため、指ｐに加わる刺激を緩和し、操作感触を良好にすることができる。
【００４６】
なお、図示例によれば、第２のガイド凹部１２ｄに対しより幅の広い補助ガイド凹部１２ｅを連通するようにしたが、他例としては、第１のガイド凹部１２ｃに対しより幅の広い補助ガイド凹部を連通した態様や、第１のガイド凹部１２ｃと第２のガイド凹部１２ｄのそれぞれについて、より幅の広い補助ガイド凹部を連通する態様等とすることも可能である。
【００４７】
また、図示例の出没式筆記具１は、特に好ましい態様として、押子３０を第１のガイド凹部１２ｃ，第２のガイド凹部１２ｄ及び補助ガイド凹部１２ｅによってガイドするように構成したが、他例としては、この構成から補助ガイド凹部１２ｅを省いた態様や、第２のガイド凹部１２ｄ及び補助ガイド凹部１２ｅを省いた態様とすることも可能である。
【００４８】
また、図示例の出没式筆記具１は、３種類のリフィール２０を選択的に出没させる態様としたが、本発明の出没式筆記具は、クリップ支持用の押子に対する軸筒径方向の対向位置に他の押子及び窓部を有さない出没式筆記具に適用可能であり、例えば、１種類のリフィール２０をクリップ支持用の押子によって出没するようにした出没式筆記具や、軸筒周方向に等間隔に配置される５種類のリフィール２０をクリップ支持用の押子と他の押子によって選択的に出没させるようにした出没式筆記具等、奇数個の押子を周方向に均等配置した出没式筆記具に適用することが可能である。
【符号の説明】
【００４９】
１：出没式筆記具              １０：軸筒
１１：前軸                    １２：後軸
１２ａ，１２ｂ：窓部          １２ａ１：ガイド部
１２ａ２：係止段部            １２ａ３：当接部
１２ｂ２：段部                １２ｃ：第１のガイド凹部
１２ｄ：第２のガイド凹部      １２ｅ：補助ガイド凹部
２０：リフィール              ２１：筆記部
３０：押子                    ３１：突出部
３２：係脱片部                ５０：クリップ
【図１】
0005502713.tif 000002
【図２】
0005502713.tif 000003
【図３】
0005502713.tif 000004
【図４】
0005502713.tif 000005
【図５】
0005502713.tif 000006
【図６】
0005502713.tif 000007
【図７】
0005502713.tif 000008
【図８】
0005502713.tif 000009
【図９】
0005502713.tif 000010